(57)【要約】      （修正有）【課題】タッチスクリーン内蔵型有機発光表示パネル及び有機発光表示装置を提供する。【解決手段】データラインDL及びゲートラインGLによって定義されたサブピクセルSPが配列されて、封止機能のための封止層とこの封止層上にカラーフィルター層が配置されて、封止層上にタッチ電極が配置されている。【選択図】図１
2018049253.tif 000002
【特許請求の範囲】
【請求項１】
データライン及びゲートラインによって定義されたサブピクセルが配列されて、タッチ電極が配置されたタッチスクリーン内蔵型有機発光表示パネル、及び
前記タッチ電極のうちの少なくとも一つにタッチ駆動信号を供給して、前記タッチ駆動信号が印加された各タッチ電極を通じて検出された信号を土台においてタッチ有無及びタッチ位置のうちの少なくとも一つを感知するタッチセンシング回路を含み、
前記タッチスクリーン内蔵型有機発光表示パネルは、
封止層と、
前記封止層上に位置するカラーフィルター層をさらに含み、
前記タッチ電極は前記封止層上に位置する、タッチスクリーン内蔵型有機発光表示装置。
【請求項２】
前記封止層上に位置して前記タッチ電極と前記タッチセンシング回路を電気的に連結するタッチラインをさらに含む、請求項１に記載のタッチスクリーン内蔵型有機発光表示装置。
【請求項３】
前記タッチ電極と前記タッチラインは、絶縁層を間に置いてお互いに異なる層に配置されて、
前記タッチラインのそれぞれは対応するタッチ電極とコンタクトホールを通じて電気的に連結されて、他のタッチ電極とは電気的に非連結される、請求項２に記載のタッチスクリーン内蔵型有機発光表示装置。
【請求項４】
前記タッチラインのそれぞれは、
前記タッチ電極のうちの少なくとも一つのタッチ電極と重畳される、請求項３に記載のタッチスクリーン内蔵型有機発光表示装置。
【請求項５】
前記タッチラインが前記封止層上の第１タッチセンサーメタル層に配置されて、
前記第１タッチセンサーメタル層上に前記絶縁層が配置されて、
前記タッチ電極が前記絶縁層上の第２タッチセンサーメタル層に配置されて、
前記タッチラインそれぞれの端部には前記タッチセンシング回路が電気的に連結されるタッチパッドが前記第１タッチセンサーメタル層に存在する、請求項３に記載のタッチスクリーン内蔵型有機発光表示装置。
【請求項６】
前記タッチ電極は、
前記封止層と前記カラーフィルター層との間に配置される、請求項１に記載のタッチスクリーン内蔵型有機発光表示装置。
【請求項７】
前記封止層と前記カラーフィルター層との間にオーバーコート層がさらに配置されて、
前記タッチ電極は、
前記封止層と前記オーバーコート層との間に配置される、請求項６に記載のタッチスクリーン内蔵型有機発光表示装置。
【請求項８】
前記タッチ電極は、
前記カラーフィルター層上に配置される、請求項１に記載のタッチスクリーン内蔵型有機発光表示装置。
【請求項９】
前記カラーフィルター層上にオーバーコート層がさらに配置されて、
前記タッチ電極は、
前記オーバーコート層上に配置される、請求項８に記載のタッチスクリーン内蔵型有機発光表示装置。
【請求項１０】
前記タッチ電極のそれぞれは、
開口部がないバルクタイプの透明電極である、請求項１に記載のタッチスクリーン内蔵型有機発光表示装置。
【請求項１１】
前記タッチ電極のそれぞれは、
開口部があるメッシュタイプの透明または不透明電極である、請求項１に記載のタッチスクリーン内蔵型有機発光表示装置。
【請求項１２】
前記タッチ電極それぞれの大きさは、
前記サブピクセルそれぞれの大きさより大きい、請求項１に記載のタッチスクリーン内蔵型有機発光表示装置。
【請求項１３】
前記タッチ電極のそれぞれが占める領域には、
２個以上のゲートラインまたは２個以上のデータラインが配置される、請求項１２に記載のタッチスクリーン内蔵型有機発光表示装置。
【請求項１４】
データラインとゲートラインによって定義されるサブピクセルが配列されて、タッチセンサーを内蔵するタッチスクリーン内蔵型有機発光表示パネルにおいて、
前記タッチスクリーン内蔵型有機発光表示パネルの前記サブピクセルのそれぞれは、
第１電極、有機発光層及び第２電極でなされた有機発光ダイオードと、
前記有機発光ダイオードを駆動するための駆動トランジスターと、
前記駆動トランジスターの第１ノードとデータラインとの間に電気的に連結された第１トランジスターと、
前記駆動トランジスターの第１ノードと第２ノードとの間に電気的に連結されたストレージキャパシタを含んで構成されて、
前記タッチスクリーン内蔵型有機発光表示パネルは、
前記有機発光ダイオードの第２電極上に位置する封止層と、
前記封止層上に位置するカラーフィルター層をさらに含んで、
前記タッチセンサーに該当するタッチ電極が前記封止層上にさらに配置されて、
前記タッチ電極のうちで少なくとも一つにはタッチ駆動信号が供給されて、
前記タッチ駆動信号が印加されたタッチ電極は使用者のタッチ操作手段に該当したポインタとキャパシタンスを形成する、タッチスクリーン内蔵型有機発光表示パネル。
【請求項１５】
前記封止層上に位置して前記タッチ電極と電気的に連結されたタッチラインをさらに含む、請求項１４に記載のタッチスクリーン内蔵型有機発光表示パネル。
【請求項１６】
前記タッチ電極と前記タッチラインは絶縁層を間に置いてお互いに異なる層に配置されて、
前記タッチラインのそれぞれは対応するタッチ電極とコンタクトホールを通じて電気的に連結されて、他のタッチ電極とは電気的に非連結される、タッチスクリーン内蔵型有機発光表示パネル。
【請求項１７】
前記タッチラインのそれぞれは、
前記タッチ電極のうちの少なくとも一つのタッチ電極と重畳される、請求項１６に記載のタッチスクリーン内蔵型有機発光表示パネル。
【請求項１８】
前記タッチラインが第１タッチセンサーメタル層に配置されて、
前記第１タッチセンサーメタル層上に前記絶縁層が配置されて、
前記タッチ電極が前記絶縁層上の第２タッチセンサーメタル層に配置されて、
前記タッチラインそれぞれの端部には前記タッチセンシング回路が電気的に連結されるタッチパッドが前記第１タッチセンサーメタル層に存在する、請求項１６に記載のタッチスクリーン内蔵型有機発光表示パネル。
【請求項１９】
前記タッチ電極は、
前記封止層と前記カラーフィルター層との間に配置される、請求項１４に記載のタッチスクリーン内蔵型有機発光表示パネル。
【請求項２０】
前記封止層と前記カラーフィルター層との間にオーバーコート層がさらに配置されて、
前記タッチ電極は、
前記封止層と前記オーバーコート層との間に配置される、請求項１９に記載のタッチスクリーン内蔵型有機発光表示パネル。
【請求項２１】
前記タッチ電極は、
前記カラーフィルター層上に配置される、請求項１４に記載のタッチスクリーン内蔵型有機発光表示パネル。
【請求項２２】
前記カラーフィルター層上にオーバーコート層がさらに配置されて、
前記タッチ電極は、
前記オーバーコート層上に配置される、請求項２１に記載のタッチスクリーン内蔵型有機発光表示パネル。
【請求項２３】
前記タッチ電極と前記封止層の背面間の間隔は５マイクロメートル以上である、請求項１４に記載のタッチスクリーン内蔵型有機発光表示パネル。
【請求項２４】
前記カラーフィルター層での２個のカラーフィルターの間ごとに一定抵抗値以上を有するブラックマットリックスが配置される、請求項１４に記載のタッチスクリーン内蔵型有機発光表示パネル。
【発明の詳細な説明】
【技術分野】
【０００１】
本実施例らはタッチスクリーン内蔵型有機発光表示パネル及び有機発光表示装置に関するものである。
【背景技術】
【０００２】
情報化社会の発展につれて、画像を表示するための表示装置に対するニーズが多様な形で増加しており、近年には液晶表示装置（Ｌｉｑｕｉｄ  Ｃｒｙｓｔａｌ  Ｄｉｓｐｌａｙ、ＬＣＤ）、プラズマ表示装置（Ｐｌａｓｍａ  Ｄｉｓｐｌａｙ  Ｐａｎｅｌ、ＰＤＰ）、有機電界発光表示装置（Ｏｒｇａｎｉｃ  Ｌｉｇｈｔ  Ｅｍｉｔｔｉｎｇ  Ｄｉｏｄｅ  Ｄｉｓｐｌａｙ  Ｄｅｖｉｃｅ、ＯＬＥＤ）のような様々な表示装置が活用されている。
【０００３】
このような表示装置は、ボタン、キーボード、マウスなどの通常的な入力方式から脱皮して、使用者が手軽く情報あるいは命令を直観的で便利に入力できるようにするタッチ基板の入力方式を提供する。
【０００４】
このようなタッチ基板の入力方式を提供するためには、使用者のタッチ有無を把握してタッチ座標を正確に検出しなければならない。
【０００５】
このために、従来には、抵抗膜方式、キャパシタンス方式、電磁誘導方式、赤外線方式、超音波方式などの多様なタッチ方式のうちで一つのタッチ方式を採用してタッチセンシングを提供する。
【０００６】
このようなさまざまのタッチ方式のうちで、タッチスクリーンパネルに形成された多数のタッチ電極を通じてタッチ電極間のキャパシタンスまたはタッチ電極と指などのポインタの間のキャパシタンスの変化を土台でタッチ有無及びタッチ座標などを検出するキャパシタンスタッチ方式がたくさん採用されている。
【０００７】
一方、表示装置の製作便利性向上及びサイズ縮小などのために、タッチ電極でなされるタッチスクリーンパネルを表示パネルに内蔵するための試みがなされている。
【０００８】
一方、さまざまな表示装置のうちで有機発光表示装置は、自体発光型表示装置として、他の表示装置とは異なり別途の光源が必要ではなくて軽量薄型で製造可能である。
【０００９】
また、有機発光表示装置は低電圧駆動によって消費電力側面で有利であるだけでなく、色相具現、回答速度、視野角、コントラスト比(contrast ratio：ＣＲ)も優秀で、次世代ディスプレイとして研究されている。
【００１０】
このようにディスプレイ側面で相当な利点がある有機発光表示装置であるが、有機発光表示パネルにタッチスクリーンパネルを内蔵するためには相当な困難や多くの制約事項がある。
【００１１】
また、有機発光表示パネルの製作工程時、有機物によって、一般的に金属物質でなされているタッチセンサーを有機発光表示パネルの内部に形成するための高温工程が自由ではない限界点がある。
【００１２】
例えば、有機発光表示パネルの信頼性を確保するため、水分、空気などや物理的な衝撃、または製造工程時に発生することがある異物から保護するための封止層などを有機発光表示パネルの前面に形成しなければならないが、これにより、工程上の複雑度及び難しさが発生するだけでなく、封止層によって、表示性能を低下させないのに正常なタッチセンシングを可能にしてタッチセンサーの配置位置を探すのには相当な困難がある。
【００１３】
このような有機発光表示パネルの構造的特性及び工程などの制約要因によって、有機発光表示パネルの内部にタッチセンサーとしてのタッチ電極を配置させ難いのが実情である。すなわち、タッチスクリーンパネルを内蔵する有機発光表示パネルを具現するのがよほど難しい実情である。
【００１４】
よって、従来の有機発光表示装置は、タッチスクリーンパネルを有機発光表示パネルに内蔵させるものではなく、有機発光表示パネル上に付着する方式でタッチ構造を具現して来た。
【００１５】
このような場合、有機発光表示パネルとタッチスクリーンパネルを別に製作して付着しなければならないため、製作工程が複雑で有機発光表示装置の厚さも厚くなる問題点がある。
【発明の概要】
【発明が解決しようとする課題】
【００１６】
本実施例らの目的は、タッチスクリーンパネルの内蔵ができるようにする構造を有するタッチスクリーン内蔵型有機発光表示パネル及び有機発光表示装置を提供することにある。
【００１７】
本実施例らの他の目的は、タッチセンシング性能を向上させることができるタッチスクリーン内蔵型有機発光表示パネル及び有機発光表示装置を提供することにある。
【００１８】
本実施例らのまた他の目的は、超薄型デザイン具現ができるようにする構造を有するタッチスクリーン内蔵型有機発光表示パネル及び有機発光表示装置を提供することにある。
【００１９】
本実施例らのまた他の目的は、ディスプレイ性能に影響を与えないでタッチスクリーンパネルを内蔵することができるタッチスクリーン内蔵型有機発光表示パネル及び有機発光表示装置を提供することにある。
【００２０】
本実施例らのまた他の目的は、セルフ-キャパシタンス基板のタッチセンシングができるようにする二つのタッチセンサーメタル(タッチ電極、タッチライン)がお互いに異なる層に配置された構造を有するタッチスクリーン内蔵型有機発光表示パネル及び有機発光表示装置を提供することにある。
【課題を解決するための手段】
【００２１】
本実施例らは、タッチスクリーン内蔵型有機発光表示パネルを提供することができる。
【００２２】
このようなタッチスクリーン内蔵型有機発光表示パネルは、多数のデータラインと多数のゲートラインによって定義される多数のサブピクセルが配列されて、タッチセンサー(タッチ電極など)を内蔵することができる。
【００２３】
また、本実施例らは、タッチスクリーン内蔵型有機発光表示パネルを含むタッチスクリーン内蔵型有機発光表示装置を提供することができる。
【００２４】
このようなタッチスクリーン内蔵型有機発光表示装置は、タッチセンサーに該当する多数のタッチ電極のうちで少なくとも一つでタッチ駆動信号を供給して、タッチ駆動信号が印加された各タッチ電極を通じて検出された信号を土台でタッチ有無及びタッチ位置のうちで少なくとも一つを感知するタッチセンシング回路をさらに含むことができる。
【００２５】
タッチスクリーン内蔵型有機発光表示パネルは、封止層と、封止層上に位置するカラーフィルター層をさらに含むことができる。
【００２６】
タッチスクリーン内蔵型有機発光表示パネルで、タッチセンサーメタルに該当する多数のタッチ電極は封止層上に位置することができる。
【００２７】
タッチスクリーン内蔵型有機発光表示パネルには、封止層上に位置して多数のタッチ電極とタッチセンシング回路を電気的に連結するタッチセンサーメタルとしての多数のタッチラインがさらに配置されることができる。
【００２８】
タッチスクリーン内蔵型有機発光表示パネルで、前記多数のタッチ電極と前記多数のタッチラインは、絶縁層を間に置いてお互いに異なる層に配置されることができる。
【００２９】
前記多数のタッチラインのそれぞれは対応するタッチ電極とコンタクトホールを通じて電気的に連結されて、他のタッチ電極とは電気的に非連結されることができる。
【００３０】
タッチスクリーン内蔵型有機発光表示パネルで、前記多数のタッチラインそれぞれは、前記多数のタッチ電極のうちの少なくとも一つのタッチ電極と重畳されることができる。
【００３１】
一方、タッチスクリーン内蔵型有機発光表示パネルで、多数のタッチ電極は封止層とカラーフィルター層の間に配置されることができる。
【００３２】
この場合、封止層とカラーフィルター層との間にオーバーコート層がさらに配置されて、多数のタッチ電極は封止層とオーバーコート層との間に配置されることができる。
【００３３】
一方、タッチスクリーン内蔵型有機発光表示パネルで、多数のタッチ電極はカラーフィルター層上に配置されることができる。
【００３４】
この場合、カラーフィルター層上にオーバーコート層がさらに配置されて、多数のタッチ電極はオーバーコート層上に配置されることができる。
【００３５】
他の側面で、本実施例らは、多数のデータラインと多数のゲートラインによって定義される多数のサブピクセルが配列されて、タッチセンサーを内蔵するタッチスクリーン内蔵型有機発光表示パネルを提供することができる。
【００３６】
タッチスクリーン内蔵型有機発光表示パネルで、多数のサブピクセルそれぞれは、第１電極、有機発光層及び第２電極でなされた有機発光ダイオードと、有機発光ダイオードを駆動するための駆動トランジスターと、駆動トランジスターの第１ノードとデータラインとの間に電気的に連結された第１トランジスターと、駆動トランジスターの第１ノードと第２ノードとの間に電気的に連結されたストレージキャパシタを含むことができる。
【００３７】
タッチスクリーン内蔵型有機発光表示パネルは、有機発光ダイオードの第２電極上に位置する封止層と、封止層上に位置するカラーフィルター層をさらに含むことができる。
【００３８】
タッチスクリーン内蔵型有機発光表示パネルでは、封止層上に多数のタッチ電極が位置することができる。
【００３９】
タッチセンサーに該当する多数のタッチ電極のうちで少なくとも一つにはタッチ駆動信号が供給されて、タッチ駆動信号が印加されたタッチ電極は使用者のタッチ操作手段に該当したポインタとキャパシタンスを形成することができる。
【００４０】
このように形成されたキャパシタンスによってタッチ位置またはタッチ有無などが感知されることができる。
【発明の効果】
【００４１】
以上で説明したような本実施例らによれば、タッチスクリーンパネルの内蔵ができるようにする構造を有するタッチスクリーン内蔵型有機発光表示パネル及び有機発光表示装置を提供する効果がある。
【００４２】
また、本実施例らによれば、タッチセンシング性能を向上させることができるタッチスクリーン内蔵型有機発光表示パネル及び有機発光表示装置を提供する効果がある。
【００４３】
また、本実施例らによれば、超薄型デザイン具現ができるようにする構造を有するタッチスクリーン内蔵型有機発光表示パネル及び有機発光表示装置を提供する効果がある。
【００４４】
また、本実施例らによれば、ディスプレイ性能に影響を与えないでタッチスクリーンパネルを内蔵することができるタッチスクリーン内蔵型有機発光表示パネル及び有機発光表示装置を提供する効果がある。
【００４５】
また、本実施例らによれば、セルフ-キャパシタンス基板のタッチセンシングができるようにする二つのタッチセンサーメタル(タッチ電極、タッチライン)がお互いに異なる層に配置された構造を有するタッチスクリーン内蔵型有機発光表示パネル及び有機発光表示装置を提供する効果がある。
【図面の簡単な説明】
【００４６】
【図１】本実施例らによるタッチスクリーン内蔵型有機発光表示装置の概略的なシステム構成図である。
【図２】本実施例らによるタッチスクリーン内蔵型有機発光表示パネルのサブピクセル構造の例示図である。
【図３】本実施例らによるタッチスクリーン内蔵型有機発光表示パネルのサブピクセル構造の他の例示図である。
【図４】本実施例らによるタッチスクリーン内蔵型有機発光表示パネルで表示駆動パターンらを示した図面である。
【図５】本実施例らによるタッチスクリーン内蔵型有機発光表示パネルでタッチセンサーパターンを示した図面である。
【図６】本実施例らによるタッチスクリーン内蔵型有機発光表示パネルで一つのタッチ電極を示した図面である。
【図７】本実施例らによるタッチスクリーン内蔵型有機発光表示パネルで、バルクタイプのタッチ電極を示した図面である。
【図８】本実施例らによるタッチスクリーン内蔵型有機発光表示パネルで、メッシュタイプのタッチ電極を示した図面である。
【図９】同じく、本実施例らによるタッチスクリーン内蔵型有機発光表示パネルで、メッシュタイプのタッチ電極を示した図面である。
【図１０】本実施例らによるタッチスクリーン内蔵型有機発光表示パネルの例示的な断面図である。
【図１１】本実施例らによるタッチスクリーン内蔵型有機発光表示パネルのＣＯＥ(Color Filter On Encapsulation Layer)構造を示した図面である。
【図１２】本実施例らによるタッチスクリーン内蔵型有機発光表示パネルのＴＯＥ(Touch Sensor On Encapsulation Layer)構造を示した図面である。
【図１３】本実施例らによるタッチスクリーン内蔵型有機発光表示パネルのＭ-ＴＯＥ(Multiple Touch Sensor Metal Layer On Encapsulation Layer)構造を示した図面である。
【図１４】本実施例らによるＭ-ＴＯＥ構造を有するタッチスクリーン内蔵型有機発光表示パネルの平面図である。
【図１５】本実施例らによるＭ-ＴＯＥ構造を有するタッチスクリーン内蔵型有機発光表示パネルの平面図である。
【図１６】本実施例らによるタッチスクリーン内蔵型有機発光表示パネルで、ＣＯＥ構造及びＭ-ＴＯＥ構造の第１混合構造を示した図面である。
【図１７】本実施例らによるタッチスクリーン内蔵型有機発光表示パネルで、ＣＯＥ構造及びＭ-ＴＯＥ構造の第１混合構造の断面図である。
【図１８】本実施例らによるタッチスクリーン内蔵型有機発光表示パネルで、ＣＯＥ構造及びＭ-ＴＯＥ構造の第１混合構造の製作段階を示した図面である。
【図１９】本実施例らによるタッチスクリーン内蔵型有機発光表示パネルで、ＣＯＥ構造及びＭ-ＴＯＥ構造の第２混合構造を示した図面である。
【図２０】本実施例らによるタッチスクリーン内蔵型有機発光表示パネルで、ＣＯＥ構造及びＭ-ＴＯＥ構造の第２混合構造の断面図である。
【図２１】本実施例らによるタッチスクリーン内蔵型有機発光表示パネルで、ＣＯＥ構造及びＭ-ＴＯＥ構造の第２混合構造の製作段階を示した図面である。
【図２２】本実施例らによるタッチスクリーン内蔵型有機発光表示パネルで、タッチ電極と第２電極との間の間隔と、タッチ電極と第２電極との間に発生する寄生キャパシタンス成分の例示図である。
【図２３】本実施例らによるＣＯＥ構造及びＭ-ＴＯＥ構造の第１混合構造を有するタッチスクリーン内蔵型有機発光表示パネルでタッチ電極と第２電極との間の間隔を示した図面である。
【図２４】本実施例らによるＣＯＥ構造及びＭ-ＴＯＥ構造の第２混合構造を有するタッチスクリーン内蔵型有機発光表示パネルでタッチ電極と第２電極との間の間隔を示した図面である。
【図２５】本実施例らによるタッチスクリーン内蔵型有機発光表示パネルで、タッチ電極と第２電極との間の間隔によるＲＣ遅延及びタッチ性能を示したグラフである。
【図２６】本実施例らによるタッチスクリーン内蔵型有機発光表示装置で発生する寄生キャパシタンス成分をとり除くためのロードフリー駆動を示した図面である。
【発明を実施するための形態】
【実施例】
【００４７】
以下、本発明の一部実施例を例示的図面を参照して詳細に説明する。各図の構成要素に参照符号を付すにあたって、同一の構成要素については他の図面上に表示されても、できれば同符号を有することができる。また、本発明を説明するにあたって、かかる公知構成又は機能に対する具体的な説明が本発明の要旨を曇らせる恐れがあると判断される場合には、その詳細な説明は省略する。
【００４８】
また、本発明の構成要素を説明するにあたって、第１、第２、Ａ、Ｂ、（ａ）、（ｂ）などの用語が使用できる。このような用語は、その構成要素を他の構成要素と区別するためのものだけであって、その用語によって当該構成要素の本質、手順または順序などが限定されない。ある構成要素が他の構成要素に連結、結合または接続されると記載された場合、その構成要素はその他の構成要素に直接連結されたり、若しくは接続できるが、各構成要素の間に他の構成要素が介在されたり、各構成要素が他の構成要素を介して連結、結合または接続できることも理解すべきである。
【００４９】
図１は、本実施例らによるタッチスクリーン内蔵型有機発光表示装置１００の概略的なシステム構成図である。
【００５０】
図１を参照すれば、本実施例らによるタッチスクリーン内蔵型有機発光表示装置１００は、映像を表示するための表示機能(Display Function)と指、ペンなどのポインタによるタッチをセンシングするタッチセンシング機能(Touch Sensing Function)を遂行することができる。
【００５１】
本実施例らによるタッチスクリーン内蔵型有機発光表示装置１００は、表示機能のために表示モード区間の間に表示モードで動作するか、またはタッチセンシング機能のためにタッチモード区間の間にタッチモードで動作することもできる。
【００５２】
表示モード区間とタッチモード区間は、時間的に分離されていることもできて、時間的に等しいか、または重畳される区間であることもある。
【００５３】
すなわち、映像表示のための表示モード動作とタッチセンシングのためのタッチモード動作が分離されて進行されることもできて、映像表示のための表示モード動作とタッチセンシングのためのタッチモード動作が共に進行されることもできる。
【００５４】
本実施例らによるタッチスクリーン内蔵型有機発光表示装置１００は、二つの機能(表示機能、タッチセンシング機能)を遂行するために、多数のデータライン(ＤＬ)及び多数のゲートライン(ＧＬ)によって定義された多数のサブピクセル(ＳＰ)が配列されて多数のタッチ電極(ＴＥ)が配置されたタッチスクリーン内蔵型有機発光表示パネル１１０と、表示機能のためにタッチスクリーン内蔵型有機発光表示パネル１１０を駆動する表示駆動回路と、タッチセンシング機能のためにタッチスクリーン内蔵型有機発光表示パネル１１０を駆動するタッチセンシング回路(ＴＳＣ:Touch Sensing Circuit)を含むことができる。
【００５５】
図１を参照すれば、表示駆動回路は、表示モード区間の間に、多数のデータライン(ＤＬ)を駆動するためのデータ駆動回路(ＤＤＣ:Data Driving Circuit)と、多数のゲートライン(ＧＬ)を駆動するためのゲート駆動回路(ＧＤＣ:Gate Driving Circuit)などを含むことができる。
【００５６】
表示駆動回路は、データ駆動回路(ＤＤＣ)及びゲート駆動回路(ＧＤＣ)の動作タイミングまたは電源供給などを制御するための少なくても一つのコントローラーをさらに含むことができる。
【００５７】
図１を参照すれば、タッチセンシング回路(ＴＳＣ)は、タッチモード区間の間に、多数のタッチ電極(ＴＥ)のうち少なくとも一つでタッチ駆動信号(ＴＤＳ:Touch Driving Signal)を供給して、タッチ駆動信号(ＴＤＳ)が印加された各タッチ電極(ＴＥ)を通じて検出された信号(ＴＳＳ:Touch Sensing Signal)を土台でタッチ有無及びタッチ位置のうちで少なくとも一つを感知することができる。
【００５８】
タッチセンシング回路(ＴＳＣ)は、多数のタッチ電極(ＴＥ)を駆動するためのタッチ駆動回路(ＴＤＣ:Touch Driving Circuit)と、タッチ駆動信号(ＴＤＳ)が印加されたタッチ電極(ＴＥ)から受信される信号(ＴＳＳ)を土台でタッチ有無及び/またはタッチ位置を決定するタッチプロセッサ(ＴＰ:Touch Processor)などを含むことができる。
【００５９】
タッチ駆動回路(ＴＤＣ)は多数のタッチ電極(ＴＥ)を駆動するために多数のタッチ電極(ＴＥ)にタッチ駆動信号(ＴＤＳ)を供給することができる。
【００６０】
また、タッチ駆動回路(ＴＤＣ)はタッチ駆動信号(ＴＤＳ)が供給された各タッチ電極(ＴＥ)からタッチセンシング信号(ＴＳＳ)を受信することができる。
【００６１】
タッチ駆動回路(ＴＤＣ)は、受信したタッチセンシング信号(ＴＳＳ)またはこれを信号処理したセンシングデータをタッチプロセッサ(ＴＰ)に伝達する。
【００６２】
タッチプロセッサ(ＴＰ)は、タッチセンシング信号(ＴＳＳ)またはセンシングデータを利用してタッチアルゴリズムを行って、これを通じてタッチ有無及び/またはタッチ位置を決定することができる。
【００６３】
前述したように、本実施例らによるタッチスクリーン内蔵型有機発光表示装置１００は、各タッチ電極(ＴＥ)とポインタとの間のキャパシタンス変化を把握してタッチ有無及び/またはタッチ位置が分かるセルフ-キャパシタンス(Self-Capacitance)基板のタッチセンシング方式を採用している。
【００６４】
すなわち、本実施例らによるタッチスクリーン内蔵型有機発光表示装置１００では、タッチ電極(ＴＥ)にタッチ駆動信号(ＴＤＳ)が印加されて、タッチ電極(ＴＥ)からタッチセンシング信号(ＴＳＳ)が検出される。
【００６５】
前述したように、本実施例らによるタッチスクリーン内蔵型有機発光表示装置１００はセルフ-キャパシタンス基板のタッチセンシング方式でタッチをセンシングするため、タッチスクリーン内蔵型有機発光表示パネル１１０はセルフ-キャパシタンス基板のタッチセンサー構造を持っていれば良い。
【００６６】
これにより、タッチスクリーン内蔵型有機発光表示パネル１１０に二つの種類のタッチセンサー電極(駆動電極、受信電極)を形成しなくても良いため、タッチスクリーン内蔵型有機発光表示パネル１１０にタッチセンサー構造を形成するためのパネル製作工程がさらに簡単になって易しくなることができる。
【００６７】
一方、上で言及したデータ駆動回路(ＤＤＣ)、ゲート駆動回路(ＧＤＣ)、タッチ駆動回路(ＴＤＣ)、タッチプロセッサ(ＴＰ)は機能上の分類として、別に具現されることもできて、場合によって、データ駆動回路(ＤＤＣ)、ゲート駆動回路(ＧＤＣ)、タッチ駆動回路(ＴＤＣ)、タッチプロセッサ(ＴＰ)のうち二つ以上が統合されて具現されることもできる。
【００６８】
図２は、本実施例らによるタッチスクリーン内蔵型有機発光表示パネル１１０のサブピクセル構造の例示図であり、図３は本実施例らによるタッチスクリーン内蔵型有機発光表示パネル１１０のサブピクセル構造の他の例示図である。
【００６９】
図２を参照すれば、本実施例らによるタッチスクリーン内蔵型表示装置１００で、各サブピクセル(ＳＰ)は、基本的に、有機発光ダイオード(ＯＬＥＤ)と、有機発光ダイオード(ＯＬＥＤ)を駆動する駆動トランジスター(ＤＲＴ:Driving Transistor)と、駆動トランジスター(ＤＲＴ)のゲートノードに該当する第１ノード(Ｎ１)でデータ電圧(ＶＤＡＴＡ)を伝達するための第１トランジスター(Ｔ１)と、映像信号電圧に該当するデータ電圧(ＶＤＡＴＡ)またはこれに対応する電圧を一フレーム時間の間に維持するストレージキャパシタ(Ｃ１)を含んで構成されることができる。
【００７０】
有機発光ダイオード(ＯＬＥＤ)は第１電極(Ｅ１、アノード電極またはカソード電極)、有機発光層(ＥＬ)及び第２電極(Ｅ２、カソード電極またはアノード電極)などでなされることができる。
【００７１】
一例で、有機発光ダイオード(ＯＬＥＤ)の第２電極(Ｅ２)には基底電圧(ＥＶＳＳ)が印加されることができる。
【００７２】
駆動トランジスター(ＤＲＴ)は有機発光ダイオード(ＯＬＥＤ)に駆動電流を供給することで有機発光ダイオード(ＯＬＥＤ)を駆動する。
【００７３】
駆動トランジスター(ＤＲＴ)は第１ノード(Ｎ１)、第２ノード(Ｎ２)及び第３ノード(Ｎ３)を有する。
【００７４】
駆動トランジスター(ＤＲＴ)の第１ノード(Ｎ１)はゲートノードに該当するノードとして、第１トランジスター(Ｔ１)のソースノードまたはドレインノードと電気的に連結されることができる。
【００７５】
駆動トランジスター(ＤＲＴ)の第２ノード(Ｎ２)は有機発光ダイオード(ＯＬＥＤ)の第１電極(Ｅ１)と電気的に連結されることができるし、ソースノードまたはドレインノードであることができる。
【００７６】
駆動トランジスター(ＤＲＴ)の第３ノード(Ｎ３)は駆動電圧(ＥＶＤＤ)が印加されるノードとして、駆動電圧(ＥＶＤＤ)を供給する駆動電圧ライン(ＤＶＬ:Driving Voltage Line)と電気的に連結されることができるし、ドレインノードまたはソースノードであることができる。
【００７７】
駆動トランジスター(ＤＲＴ)と第１トランジスター(Ｔ１)は、ｎタイプで具現されることもできて、ｐタイプでも具現されることもできる。
【００７８】
第１トランジスター(Ｔ１)はデータライン(ＤＬ)と駆動トランジスター(ＤＲＴ)の第１ノード(Ｎ１)の間に電気的に連結されて、ゲートラインを通じてスキャン信号(ＳＣＡＮ)をゲートノードで印加を受けて制御されることができる。
【００７９】
このような第１トランジスター(Ｔ１)はスキャン信号(SCAN)によってターン-オンされてデータライン(ＤＬ)から供給されたデータ電圧(ＶＤＡＴＡ)を駆動トランジスター(ＤＲＴ)の第１ノード(Ｎ１)に伝達することができる。
【００８０】
ストレージキャパシタ(Ｃ１)は駆動トランジスター(ＤＲＴ)の第１ノード(Ｎ１)と第２ノード(Ｎ２)の間に電気的に連結されることができる。
【００８１】
このようなストレージキャパシタ(Ｃ１)は、駆動トランジスター(ＤＲＴ)の第１ノード(Ｎ１)と第２ノード(Ｎ２)との間に存在する内部キャパシタ(Internal Capacitor)である寄生キャパシタ(例:Cgs、Cgd)ではなく、駆動トランジスター(ＤＲＴ)の外部に意図的に設計した外部キャパシタ(External Capacitor)である。
【００８２】
図３を参照すれば、本実施例らによる有機発光表示パネルに配置された各サブピクセルは、有機発光ダイオード(ＯＬＥＤ)、駆動トランジスター(ＤＲＴ)、第１トランジスター(Ｔ１)及びストレージキャパシタ(C１)以外に、第２トランジスター(Ｔ２)をさらに含むことができる。
【００８３】
図３を参照すれば、第２トランジスター(Ｔ２)は駆動トランジスター(ＤＲＴ)の第２ノード(Ｎ２)と基準電圧(ＶＲＥＦ:Reference Voltage)を供給する基準電圧ライン(ＲＶＬ:Reference Voltage Line)の間に電気的に連結されて、ゲートノードでスキャン信号の一種であるセンシング信号(ＳＥＮＳＥ)の印加を受けて制御されることができる。
【００８４】
前述した第２トランジスター(Ｔ２)をさらに含むことで、サブピクセル(ＳＰ)内の駆動トランジスター(ＤＲＴ)の第２ノード(Ｎ２)の電圧状態を効果的に制御することができる。
【００８５】
このような第２トランジスター(Ｔ２)はセンシング信号(ＳＥＮＳＥ)によってターン-オンされて基準電圧ライン(ＲＶＬ)を通じて供給される基準電圧(ＶＲＥＦ)を駆動トランジスター(ＤＲＴ)の第２ノード(Ｎ２)に印加する。
【００８６】
図３のサブピクセル構造は、駆動トランジスター(ＤＲＴ)の第２ノード(Ｎ２)の電圧初期化を正確にするのに有利で、駆動トランジスター(ＤＲＴ)の固有特性値(しきい電圧または移動度)、有機発光ダイオード(ＯＬＥＤ)の固有特性値(例:しきい電圧)をセンシングするために有利な構造である。
【００８７】
一方、スキャン信号(ＳＣＡＮ)及びセンシング信号(ＳＥＮＳＥ)は別個のゲート信号であることができる。この場合、スキャン信号(ＳＣＡＮ)及びセンシング信号(ＳＥＮＳＥ)は、お互いに異なるゲートラインを通じて、第１トランジスター(Ｔ１)のゲートノード及び第２トランジスター(Ｔ２)のゲートノードにそれぞれ印加されることもできる。
【００８８】
場合によっては、スキャン信号(ＳＣＡＮ)及びセンシング信号(ＳＥＮＳＥ)は等しいゲート信号であることがある。この場合、スキャン信号(ＳＣＡＮ)及びセンシング信号(ＳＥＮＳＥ)は等しいゲートラインを通じて第１トランジスター(Ｔ１)のゲートノード及び第２トランジスター(Ｔ２)のゲートノードに共通に印加されることもできる。
【００８９】
前述したサブピクセル構造を有することができる有機発光表示パネルにタッチスクリーンを内蔵させる構造とこのような構造下で統合駆動方法、統合駆動回路及び信号連結構造などを説明する。
【００９０】
有機発光表示パネルタイプのタッチスクリーン内蔵型表示パネル１１０は、第１電極(Ｅ１)と、第１電極(Ｅ１)上に位置する有機発光層(ＥＬ)と、有機発光層(ＥＬ)上に位置する第２電極(Ｅ２)が配置されるとする時、水分、空気などの浸透防止のために、第２電極(Ｅ２)上に封止層(Encapsulation Layer)が配置されることができる。
【００９１】
図４は、本実施例らによるタッチスクリーン内蔵型有機発光表示パネル１１０の表示駆動パターンらを示した図面である。
【００９２】
図４を参照すれば、各サブピクセル(ＳＰ)は図２または図３のサブピクセル構造でなされ得て、表示モード区間の間に、一つのデータライン(ＤＬ)と一つまたは二つ以上のゲートライン(ＧＬ)によって駆動されることができる。
【００９３】
各データライン(ＤＬ)とデータ駆動回路(ＤＤＣ)との間の電気的な連結のためのデータパッド(ＤＰ)が各データライン(ＤＬ)の端部に連結され得る。
【００９４】
図４を参照すれば、１個のタッチ電極(ＴＥ)は１個のサブピクセル(ＳＰ)の大きさと等しい大きさを有することもできるが、タッチ駆動及びタッチセンシング効率のために、１個のサブピクセル(ＳＰ)の大きさより大きい大きさを有することもできる。
【００９５】
図５は、本実施例らによるタッチスクリーン内蔵型有機発光表示パネル１１０のタッチセンサーパターンらを示した図面である。
【００９６】
図５を参照すれば、本実施例らによるタッチスクリーン内蔵型有機発光表示パネル１１０には、多数のタッチ電極(ＴＥ)、多数のタッチライン(ＴＬ)及び多数のタッチパッド(ＴＰ)などを含むタッチセンサーパターン(タッチセンサーメタル)が配置されることができる。
【００９７】
多数のタッチ電極(ＴＥ)は、セルフ-キャパシタンス基板のタッチセンシングのためのタッチセンサーであるため、駆動電極役割と受信電極役割(センシング電極役割)を同時に遂行する。
【００９８】
これによって、このような多数のタッチ電極(ＴＥ)はお互いに電気的に分離されている。
【００９９】
また、多数のタッチ電極(ＴＥ)はお互いに重畳されない。
【０１００】
多数のタッチライン(ＴＬ)は多数のタッチ電極(ＴＥ)とタッチセンシング回路(ＴＳＣ)を電気的に連結する信号ラインである。
【０１０１】
多数のタッチライン(ＴＬ)の端部にはタッチセンシング回路(ＴＳＣ)が電気的に連結される多数のタッチパッド(ＴＰ)が存在する。
【０１０２】
図６は、本実施例らによるタッチスクリーン内蔵型有機発光表示パネル１１０で一つのタッチ電極(ＴＥ)を示した図面である。
【０１０３】
図６を参照すれば、１個のタッチ電極(ＴＥ)は１個のタッチライン(ＴＬ)を通じてタッチ駆動信号(ＴＤＳ)の供給を受けることができる。
【０１０４】
１個のサブピクセル(ＳＰ)は、１個のデータライン(ＤＬ)を通じてデータ電圧(ＶＤＡＴＡ)の供給を受けて、サブピクセル構造によって１個または２個以上のゲートライン(ＧＬ)を通じてスキャン信号の供給を受けて駆動されることができる。
【０１０５】
図６に示されたように、多数のタッチ電極(ＴＥ)それぞれの大きさは、多数のサブピクセル(ＳＰ)それぞれの大きさより大きくなることができる。
【０１０６】
例えば、１個のタッチ電極(ＴＥ)の大きさは２個のサブピクセル(ＳＰ)の大きさ以上であることがある。
【０１０７】
前述したように、１個のタッチ電極(ＴＥ)の大きさが２個のサブピクセル(ＳＰ)の大きさ以上になることで、多数のタッチ電極(ＴＥ)それぞれが占める領域には２個以上のゲートライン(ＧＬ)または２個以上のデータライン(ＤＬ)が配置されることができる。
【０１０８】
このように、タッチスクリーン内蔵型有機発光表示パネル１１０でタッチ電極大きさがサブピクセル大きさより大きいことで、タッチ電極個数が減るようになる。これによって、タッチ駆動信号(ＴＤＳ)をタッチ電極(ＴＥ)に供給するタッチ駆動回数が減るか、またはセンシングデータが減少してタッチセンシング効率を高めることができる。
【０１０９】
但し、タッチ電極大きさが大きくなるようになってタッチ電極個数が減れば、センシングデータが減少してタッチセンシング効率を高めることはできるが、タッチセンシング正確度が低くなることがある。
【０１１０】
よって、タッチセンシング効率とタッチセンシング正確度を考慮して、タッチ電極個数及びタッチ電極大きさを精密に設定しなければならないであろう。
【０１１１】
タッチモード区間の間に、一つ以上のタッチ電極(ＴＥ)またはすべてのタッチ電極(ＴＥ)に供給されるタッチ駆動信号(ＴＤＳ)は、パルスタイプの信号であることができる。
【０１１２】
タッチ駆動信号(ＴＤＳ)は、一例で、球形波、サイン波、または三角波などの波形を有するパルスタイプの信号であることができる。
【０１１３】
タッチ駆動信号(ＴＤＳ)は、所定の周波数、位相、振幅などを有することができる。
【０１１４】
図７は、本実施例らによるタッチスクリーン内蔵型有機発光表示パネル１１０で、バルクタイプ(Bulk Type)のタッチ電極(ＴＥ)を示した図面である。
【０１１５】
図７を参照すれば、多数のタッチ電極(ＴＥ)それぞれは開口部(ＯＡ)がないバルクタイプ(Bulk Type)であることがある。
【０１１６】
各タッチ電極(ＴＥ)がバルクタイプである場合、各タッチ電極(ＴＥ)は透明電極であることができる。
【０１１７】
このように、タッチ電極(ＴＥ)を開口部(ＯＡ)がないバルクタイプ(通電極タイプ)で形成することで、タッチ電極(ＴＥ)を易しくパターニングすることができる。
【０１１８】
また、タッチ電極(ＴＥ)を透明電極で形成することで、サブピクセル領域での発光性能に影響を与えないタッチ電極(ＴＥ)をタッチスクリーン内蔵型有機発光表示パネル１１０に形成することができる。
【０１１９】
図８及び図９は、本実施例らによるタッチスクリーン内蔵型有機発光表示パネル１１０で、メッシュタイプのタッチ電極(ＴＥ)を示した図面である。
【０１２０】
図８及び図９に示されたように、多数のタッチ電極(ＴＥ)それぞれは開口部(ＯＡ)があるメッシュタイプであることができる。
【０１２１】
各タッチ電極(ＴＥ)がメッシュタイプである場合、各タッチ電極(ＴＥ)は透明電極または不透明電極であることができる。
【０１２２】
タッチ電極(ＴＥ)をメッシュタイプで形成した場合、各開口部(ＯＡ)は各サブピクセルの発光領域と対応する。すなわち、各開口部(ＯＡ)には各サブピクセルの第１電極(Ｅ１)が位置することができる。
【０１２３】
図８に示されたように、メッシュタイプのタッチ電極(ＴＥ)またはその開口部(ＯＡ)は、サブピクセル配置形態によって、ダイヤモンド模様であることがある。
【０１２４】
これと異なるように、図９に示されたように、メッシュタイプのタッチ電極(ＴＥ)またはその開口部(ＯＡ)は、サブピクセル配置形態によって、直四角形模様であることがある。
【０１２５】
メッシュタイプのタッチ電極(ＴＥ)またはその開口部(ＯＡ)は、ダイヤモンドまたは直四角形模様だけではなく、サブピクセル模様によって多様な模様であることがある。
【０１２６】
前述したところによれば、各サブピクセルの発光効率を落とさないで、サブピクセル構造及びサブピクセル模様にも好適なタッチ電極(ＴＥ)をタッチスクリーン内蔵型有機発光表示パネル１１０に形成することができる。
【０１２７】
図１０は、本実施例らによるタッチスクリーン内蔵型有機発光表示パネル１１０の例示的な断面図である。
【０１２８】
図１０を参照して、タッチスクリーン内蔵型有機発光表示パネル１１０の断面構造を説明する。
【０１２９】
基板またはバックプレート(Ｌ０１)上にポリイミド層(ＬＩ０２、ＰＩ(Polyimide)Layer)が位置する。
【０１３０】
ポリイミド層(Ｌ０２)上にバッファ層(Ｌ０３)が位置することができるし、バッファ層(Ｌ０３)上に層間絶縁膜(Ｌ０４)が位置することができる。
【０１３１】
層間絶縁膜(Ｌ０４)上にゲート層(Ｌ０５)が存在することができるし、ゲート層(Ｌ０５)には、必要な位置ごとにゲート電極などが形成されることができる。
【０１３２】
ゲート層(Ｌ０５)上にゲート絶縁膜(Ｌ０６)が存在することができる。
【０１３３】
ゲート絶縁膜(Ｌ０６)上にソース/ドレイン層(Ｌ０７)が存在することができる。
【０１３４】
ソース/ドレイン層(Ｌ０７)には、データライン(ＤＬ)、リンクライン(ＧＬ)などの信号配線と、各種トランジスターのソース/ドレイン電極などが形成されることができる。
【０１３５】
ソース/ドレイン層(Ｌ０７)上には保護層(Ｌ０８)が存在することができる。
【０１３６】
保護層(Ｌ０８)上に平坦化層(Ｌ０９)が位置して、平坦化層(Ｌ０９)上に、各サブピクセルの発光位置に第１電極(Ｅ１)が形成される第１電極層(Ｌ１０)が存在することができる。
【０１３７】
第１電極層(Ｌ１０)上にバンク層(Ｌ１１)が位置して、バンク層(Ｌ１１)上に、有機発光層(Ｌ１２)が位置する。
【０１３８】
有機発光層(Ｌ１２)上にすべてのサブピクセル領域に共通で形成される第２電極層(Ｌ１３)が存在することができる。
【０１３９】
第２電極層(Ｌ１３)上に、水分、空気などの浸透防止のための封止層(Ｌ１４)が存在することができる。
【０１４０】
また、パネル外郭には、封止層(Ｌ１４)などが崩れ落ちることを防止するための用途で周辺より高く積み上げたダム(Dam)が存在することができる。
【０１４１】
封止層(Ｌ１４)は１個の層になっていることもできて、２個以上の層が積層されていることもできる。
【０１４２】
また、封止層(Ｌ１４)は金属層でなされていることもできて、有機物層と無機物層の二つ以上が積層されていることもできる。
【０１４３】
図１０の具現例示の場合、封止層(Ｌ１４)が第１封止層(Ｌ１４ａ)、第２封止層(Ｌ１４ｂ)及び第３封止層(Ｌ１４ｃ)で積層された場合である。
【０１４４】
第１封止層(Ｌ１４ａ)、第２封止層(Ｌ１４ｂ)及び第３封止層(Ｌ１４ｃ)それぞれは有機物層と無機物層であることができる。
【０１４５】
一方、図１０を参照すれば、封止層(Ｌ１４)は封止性能を考慮して厚さが設定されることができる。
【０１４６】
封止層(Ｌ１４)の厚さは、封止性能だけではなく、タッチ駆動及びタッチセンシング時にＲＣ遅延とタッチ性能(タッチ感度)に影響を与えることがある。
【０１４７】
よって、封止層(Ｌ１４)の厚さは封止性能と、ＲＣ遅延及びタッチセンシング性能をすべて考慮して設定されなければならない。
【０１４８】
よって、封止層(Ｌ１４)の厚さ(Tencap)は、ＲＣ遅延とタッチ性能(タッチ感度)などを考慮して設計されなければならない。これは、図２２乃至図２５を参照してさらに詳細に説明する。
【０１４９】
一方、本実施例らによるタッチスクリーン内蔵型有機発光表示パネル１１０は、封止層(Ｌ１４)上にカラーフィルター層が位置するＣＯＥ(Color Filter On Encapsulation Layer)構造と、封止層(Ｌ１４)上にタッチ電極(ＴＥ)、タッチライン(ＴＬ)などのタッチセンサーメタルが位置するＴＯＥ(Touch Sensor on Encapsulation Layer)構造を有する。
【０１５０】
以下では、ＣＯＥ構造及びＴＯＥ構造をさらに詳細に説明する。
【０１５１】
図１１は、本実施例らによるタッチスクリーン内蔵型有機発光表示パネル１１０のＣＯＥ構造を示した図面である。
【０１５２】
図１１を参照すれば、タッチスクリーン内蔵型有機発光表示パネル１１０には、有機発光ダイオード(ＯＬＥＤ)素子の有機物質が酸素、水分などに露出されることを防止するために封止層(Ｌ１４)が存在する。
【０１５３】
このような封止層(Ｌ１４)は、すべてのサブピクセル(ＳＰ)が配列される領域に共通で存在する有機発光ダイオード(ＯＬＥＤ)の第２電極(Ｅ２)上に位置することができる。
【０１５４】
タッチスクリーン内蔵型有機発光表示パネル１１０で、有機発光ダイオード(ＯＬＥＤ)の第１電極(Ｅ１)に対応して位置して有機発光層(ＥＬ)から発光される白色の光を他の色に変換するカラーフィルター層(ＣＦＬ:Color Filter Layer)をさらに含むことができる。
【０１５５】
このようなカラーフィルター層(ＣＦＬ)には、一例で、赤色のカラーフィルター、緑色のカラーフィルター及び青色のカラーフィルターなどが形成されることができる。
【０１５６】
図１１を参照すれば、タッチスクリーン内蔵型有機発光表示パネル１１０で、カラーフィルター層(ＣＦＬ)が封止層(Ｌ１４)上に位置する。
【０１５７】
このような構造をＣＯＥ(Color Filter On Encapsulation Layer)構造であると言う。
【０１５８】
図１２は、本実施例らによるタッチスクリーン内蔵型有機発光表示パネル１１０のＴＯＥ(Touch Sensor on Encapsulation Layer)構造を示した図面である。
【０１５９】
前述したように、本実施例らによるタッチスクリーン内蔵型有機発光表示パネル１１０に内蔵されるタッチセンサーに該当する多数のタッチ電極(ＴＥ)のうち少なくとも一つにはタッチモード区間の間にタッチ駆動信号(ＴＤＳ)が供給されて、タッチ駆動信号(ＴＤＳ)が印加されたタッチ電極(ＴＥ)は使用者のタッチ操作手段に該当したポインタとキャパシタンス(セルフ-キャパシタンス)を形成することができる。
【０１６０】
図１２を参照すれば、タッチセンサーメタルのうち一つである多数のタッチ電極(ＴＥ)は封止層(Ｌ１４)上に位置することができる。
【０１６１】
このような構造をＴＯＥ(Touch Sensor on Encapsulation Layer)構造であると言う。
【０１６２】
前述したようにＣＯＥ構造でタッチスクリーン内蔵型有機発光表示パネル１１０を設計することで光発光効率を高めることができるし、場合によって円形(Circular)偏光板を削除することができる。そして、ＴＯＥ構造を利用することで、表示機能に問題にならないのにタッチセンシング機能を提供することができるタッチスクリーン内蔵型有機発光表示パネル１１０を具現することができるし、パネル製作工程を複雑にさせなくても、有機発光表示パネル１１０にタッチスクリーンを内蔵することができる。
【０１６３】
一方、タッチセンシング時に利用されるタッチセンサーメタルには、多数のタッチ電極(ＴＥ)以外に、多数のタッチ電極(ＴＥ)とタッチセンシング回路(ＴＳＣ)を電気的に連結する多数のタッチライン(ＴＬ)をさらに含むことができる。
【０１６４】
このような多数のタッチライン(ＴＬ)もまた封止層(Ｌ１４)上に位置することができる。
【０１６５】
前述したように、タッチセンシング回路(ＴＳＣ)とタッチ電極(ＴＥ)を電気的に連結させるためのタッチライン(ＴＬ)を封止層(Ｌ１４)上に配置しておくことで、タッチ駆動及びタッチセンシング処理のための信号伝達を効果的に遂行することができる。
【０１６６】
図１３は、本実施例らによるタッチスクリーン内蔵型有機発光表示パネル１１０のＭ-ＴＯＥ(Multiple Touch Sensor Metal Layer on Encapsulation Layer)構造を示した図面である。
【０１６７】
図１３を参照すれば、タッチセンサーメタルは多数のタッチ電極(ＴＥ)及び多数のタッチライン(ＴＬ)などを含むことができる。
【０１６８】
多数のタッチ電極(ＴＥ)及び多数のタッチライン(ＴＬ)は、お互いに異なる層に配置されることができる。
【０１６９】
多数のタッチライン(ＴＬ)は第１タッチセンサーメタル層(ＴＳＭＬ１:１st Touch Sensor Metal Layer)に配置されて、多数のタッチ電極(ＴＥ)は第２タッチセンサーメタル層(ＴＳＭＬ２:2nd Touch Sensor Metal Layer)に配置されることができる。
【０１７０】
これと反対に、多数のタッチライン(ＴＬ)が第２タッチセンサーメタル層(ＴＳＭＬ２)に配置されて、多数のタッチ電極(ＴＥ)が第１タッチセンサーメタル層(ＴＳＭＬ１)に配置されることもできる。
【０１７１】
多数のタッチライン(ＴＬ)は多数のタッチ電極(ＴＥ)と１:１に対応されて電気的に連結される。
【０１７２】
よって、多数のタッチライン(ＴＬ)それぞれは、対応するタッチ電極(ＴＥ)とは絶縁層を貫通するコンタクトホールを通じて電気的に連結されるが、対応されない他のタッチ電極(ＴＥ)とは絶縁層を通じて電気的に分離されて連結されない。
【０１７３】
このように、多数のタッチ電極(ＴＥ)及び多数のタッチライン(ＴＬ)が封止層(Ｌ１４)上に配置されるが、お互いに異なるタッチセンサーメタル層(ＴＳＭＬ、ＴＳＭＬ２)に配置されるＴＯＥ(Touch Sensor on Encapsulation Layer)構造をＭ-ＴＯＥ(Multiple Touch Sensor Metal Layer on Encapsulation Layer)構造であると言う。
【０１７４】
前述したように、タッチスクリーン内蔵型有機発光表示パネル１１０をＭ-ＴＯＥ構造で設計することで、電気的にお互いに連結されてはいけないタッチ電極(ＴＥ)とタッチライン(ＴＬ)が正確に断線(Disconnection)されることがある。
【０１７５】
図１４及び図１５は本実施例らによるＭ-ＴＯＥ構造を有するタッチスクリーン内蔵型有機発光表示パネル１１０の平面図らである。
【０１７６】
図１４は、各タッチ電極(ＴＥ)が開口部があるメッシュタイプの場合である。
【０１７７】
各タッチ電極(ＴＥ)の下部には二つ以上のサブピクセル(ＳＰ)が存在することができる。
【０１７８】
よって、各タッチ電極(ＴＥ)は下部に位置する二つ以上のサブピクセル(ＳＰ)から出る光を遮断してはいけない。
【０１７９】
これに、各タッチ電極(ＴＥ)が開口部があるメッシュタイプの場合、各開口部は各サブピクセル(ＳＰ)の発光領域(例:アノード電極領域)と対応することができる。
【０１８０】
各タッチ電極(ＴＥ)が開口部があるメッシュタイプの場合、各タッチ電極(ＴＥ)は透明電極であることもできるが不透明電極でも関係ない。
【０１８１】
図１５は、各タッチ電極(ＴＥ)が開口部がないバルクタイプの場合である。
【０１８２】
各タッチ電極(ＴＥ)の下部には二つ以上のサブピクセル(ＳＰ)が存在することがある。
【０１８３】
よって、各タッチ電極(ＴＥ)は下部に位置する二つ以上のサブピクセル(ＳＰ)から出る光を遮断してはいけない。
【０１８４】
これに、各タッチ電極(ＴＥ)が開口部がないバルクタイプの場合、各タッチ電極(ＴＥ)は透明電極であることがある。
【０１８５】
図１４及び図１５を参照すれば、多数のタッチライン(ＴＬ)それぞれは多数のタッチ電極(ＴＥ)のうち一つのタッチ電極(ＴＥ)と電気的に連結される。
【０１８６】
すなわち、多数のタッチライン(ＴＬ)それぞれは電気的に連結されなければならないタッチ電極以外に他のタッチ電極とは電気的に連結されてはいけない。
【０１８７】
そして、図１４及び図１５に示されたように、多数のタッチライン(ＴＬ)が配置される第１タッチセンサーメタル層(ＴＳＭＬ１)は、多数のタッチ電極(ＴＥ)が配置される第２タッチセンサーメタル層(ＴＳＭＬ２)と垂直方向に重畳される。すなわち、多数のタッチライン(ＴＬ)それぞれは多数のタッチ電極(ＴＥ)のうち少なくとも一つが重畳される。
【０１８８】
このような重畳構造で他の種類のタッチセンサーメタル(ＴＥ、ＴＬ)を配置することで、タッチセンサーメタル(ＴＥ、ＴＬ)が配置されない外郭領域(ベゼル領域)を減らすことができる。
【０１８９】
図１４及び図１５に示されたように、各タッチライン(ＴＬ)は、自分と電気的に連結されるタッチ電極(ＴＥ)までに存在するが、場合によって、最後まで延長されて存在することもできる。
【０１９０】
このように多数のタッチライン(ＴＬ)それぞれは、多数のタッチ電極(ＴＥ)のうち少なくとも一つのタッチ電極(ＴＥ)と垂直方向に重畳されても、タッチセンサーメタルに該当する多数のタッチライン(ＴＬ)と多数のタッチ電極(ＴＥ)がお互いに異なるタッチセンサーメタル層(ＴＳＭＬ１、ＴＳＭＬ２)に配置されるため、多数のタッチライン(ＴＬ)それぞれは対応されないタッチ電極(ＴＥ)と電気的に分離することができる。
【０１９１】
言い換えれば、多数のタッチライン(ＴＬ)は多数のタッチ電極(ＴＥ)のうち少なくとも一つと重畳されても、多数のタッチ電極(ＴＥ)と異なる層に位置することで、多数のタッチライン(ＴＬ)それぞれは対応するタッチ電極(ＴＥ)だけに電気的に連結されて対応されないタッチ電極(ＴＥ)には電気的に連結されないこともある。これにより、タッチセンサーメタル(タッチ電極、タッチライン)が正常に動作することができるし、これを通じて、正常なタッチセンシングができるようにすることができる。
【０１９２】
また、タッチセンサーメタルに該当する多数のタッチライン(ＴＬ)はお互いに電気的に分離される。そして、多数のタッチライン(ＴＬ)はお互いに重畳されない。
【０１９３】
また、タッチセンサーメタルに該当する多数のタッチ電極(ＴＥ)はお互いに電気的に分離される。そして、多数のタッチ電極(ＴＥ)はお互いに重畳されない。
【０１９４】
図１４及び図１５を参照すれば、お互いに対応するタッチ電極(ＴＥ)とタッチライン(ＴＬ)がコンタクトホールを通じてお互いに連結される部分をブリッジ(Bridge)部分であると言う。
【０１９５】
以下では、本実施例らによるタッチスクリーン内蔵型有機発光表示パネル１１０がＣＯＥ構造及びＭ-ＴＯＥ構造を有する時、ＣＯＥ構造及びＭ-ＴＯＥ構造の混合構造に対する二つの例示を説明する。
【０１９６】
図１６は、本実施例らによるタッチスクリーン内蔵型有機発光表示パネル１１０で、ＣＯＥ構造及びＭ-ＴＯＥ構造の第１混合構造を示した図面である。
【０１９７】
図１６を参照すれば、多数のタッチライン(ＴＬ)であることがある第１タッチセンサーメタルが存在する第１タッチセンサーメタル層(ＴＳＭＬ１)と、多数のタッチ電極(ＴＥ)であることがある第２タッチセンサーメタルが存在する第２タッチセンサーメタル層(ＴＳＭＬ２)は、絶縁層(ＩＬ)によって分離される。
【０１９８】
勿論、各タッチライン(ＴＬ)は、絶縁層(ＩＬ)を貫通するコンタクトホール(ブリッジ部分に存在する)を通じて、対応するタッチ電極(ＴＥ)と電気的に連結される。
【０１９９】
第１タッチセンサーメタル層(ＴＳＭＬ１)、絶縁層(ＩＬ)及び第２タッチセンサーメタル層(ＴＳＭＬ２)は内蔵タッチスクリーンパネルを形成する。
【０２００】
このようなタッチセンサーメタル層(ＴＳＭＬ１)、絶縁層(ＩＬ)及び第２タッチセンサーメタル層(ＴＳＭＬ２)は、封止層(Ｌ１４)とカラーフィルター層(ＣＦＬ)の間に配置されることができる。
【０２０１】
すなわち、封止層(Ｌ１４)、内蔵タッチスクリーンパネル(ＴＳＭＬ１、ＩＬ、ＴＳＭＬ２)、カラーフィルター層(ＣＦＬ)の順に積層されることができる。
【０２０２】
前述したように、カラーフィルター層(ＣＦＬ)が内蔵タッチスクリーンパネル(ＴＳＭＬ１、ＩＬ、ＴＳＭＬ２)より外郭に形成されることで、カラーフィルター層(ＣＦＬ)で色変換された光が内蔵タッチスクリーンパネル(ＴＳＭＬ１、ＩＬ、ＴＳＭＬ２)で歪曲される現象を防止することができる。すなわち、タッチセンサー構造が表示性能に及ぶ影響を減らすことができる。
【０２０３】
図１７は、本実施例らによるタッチスクリーン内蔵型有機発光表示パネル１１０で、ＣＯＥ構造及びＭ-ＴＯＥ構造の第１混合構造の断面図である。
【０２０４】
図１７を参照すれば、封止層(Ｌ１４)と多数のカラーフィルター(ＣＦ)がパターニングされたカラーフィルター層(ＣＦＬ)の間にオーバーコート層(ＯＣＬ:Overcoat Layer)がさらに配置されることができる。
【０２０５】
カラーフィルター層(ＣＦＬ)には、各サブピクセル(ＳＰ)の領域ごとに該当色相のカラーフィルター(ＣＦ)が配置されることができる。
【０２０６】
一例で、タッチスクリーン内蔵型有機発光表示パネル１１０に赤色の光を出すサブピクセル、緑色の光を出すサブピクセル、青色の光を出すサブピクセルが配列される場合、カラーフィルター層(ＣＦＬ)には、赤色カラーフィルター(ＣＦ_Ｒ)、緑色カラーフィルター(ＣＦ_Ｇ)及び青色カラーフィルター(ＣＦ_Ｂ)が配置されることができる。
【０２０７】
隣接した２個のサブピクセル(ＳＰ)の間ごとにブラックマットリックス(ＢＭ:Black Matrix)が存在することができる。
【０２０８】
図１７を参照すれば、多数のタッチ電極(ＴＥ)は封止層(Ｌ１４)とオーバーコート層(ＯＣＬ)との間に配置されることができる。
【０２０９】
図１７は、図１４でタッチパッド(ＴＰ)と一番近く位置したメッシュタイプの１個のタッチ電極(ＴＥ)と、ブリッジ部分で、メッシュタイプの１個のタッチ電極(ＴＥ)とコンタクトホールを通じて電気的に連結された１個のタッチライン(ＴＬ)を例示的に示した図面である。
【０２１０】
図１７に示されたメッシュタイプのタッチ電極(ＴＥ)の開口部の位置は、各サブピクセルの発光領域の位置と対応する。
【０２１１】
各サブピクセルの発光領域の位置は、各サブピクセルの第１電極(Ｅ１)の位置と対応されて、各サブピクセルに対応するカラーフィルター(ＣＦ)の位置と対応することができる。
【０２１２】
図１７を参照すれば、多数のタッチライン(ＴＬ)が配置される第１タッチセンサーメタル層(ＴＳＭＬ１)と、絶縁層(ＩＬ)と、多数のタッチ電極(ＴＥ)が配置される第２タッチセンサーメタル層(ＴＳＭＬ２)は、封止層(Ｌ１４)とオーバーコート層(ＯＣＬ)との間に配置されることができる。
【０２１３】
すなわち、第１タッチセンサーメタル層(ＴＳＭＬ１)、絶縁層(ＩＬ)及び第２タッチセンサーメタル層(ＴＳＭＬ２)でなされた内蔵タッチスクリーンパネルは、封止層(Ｌ１４)とオーバーコート層(ＯＣＬ)との間に配置されることができる。
【０２１４】
より具体的に、多数のタッチライン(ＴＬ)が封止層(Ｌ１４)上の第１タッチセンサーメタル層(ＴＳＭＬ１)に配置される。第１タッチセンサーメタル層(ＴＳＭＬ１)上に絶縁層(ＩＬ)が配置される。そして、多数のタッチ電極(ＴＥ)が絶縁層(ＩＬ)上の第２タッチセンサーメタル層(ＴＳＭＬ２)に配置される。
【０２１５】
第２タッチセンサーメタル層(ＴＳＭＬ２)上にオーバーコート層(ＯＣＬ)が配置される。
【０２１６】
一方、図１７を参照すれば、多数のタッチライン(ＴＬ)それぞれの端部にはタッチセンシング回路(ＴＳＣ)が電気的に連結されるタッチパッド(ＴＰ)が第１タッチセンサーメタル層(ＴＳＭＬ１)に存在することができる。
【０２１７】
図１８は、本実施例らによるタッチスクリーン内蔵型有機発光表示パネル１１０で、ＣＯＥ構造及びＭ-ＴＯＥ構造の第１混合構造の製作段階を示した図面である。
【０２１８】
図１８を参照すれば、図１０のような構造になるように封止層(Ｌ１４)を形成した以後、封止層(Ｌ１４)上に内蔵タッチスクリーンパネルを形成することができる。
【０２１９】
すなわち、タッチライン(ＴＬ)が封止層(Ｌ１４)上の第１タッチセンサーメタル層(ＴＳＭＬ１)に配置される。
【０２２０】
タッチライン(ＴＬ)の端部はタッチセンシング回路(ＴＳＣ)が電気的に連結されるタッチパッド(ＴＰ)の役割ができる。
【０２２１】
第１タッチセンサーメタル層(ＴＳＭＬ１)上に絶縁層(ＩＬ)が配置されて、その上に、多数のタッチ電極(ＴＥ)が第２タッチセンサーメタル層(ＴＳＭＬ２)に配置される。
【０２２２】
以後、内蔵タッチスクリーンパネルが形成された封止層(Ｌ１４)をオーバーコート層(ＯＣＬ)で覆う。
【０２２３】
この時、内蔵タッチスクリーンパネルをなすタッチセンサーメタル(ＴＥ、ＴＬ、ＴＰ)のうちタッチパッド(ＴＰ)に該当する一部分は、タッチセンシング回路(ＴＳＣ)との連結のために、露出させる。
【０２２４】
以後、オーバーコート層(ＯＣＬ)上にサブピクセル境界支点ごとにブラックマットリックス(ＢＭ)を形成する。
【０２２５】
以後、サブピクセル発光領域に対応するカラーフィルター(ＣＦ)をパターニングする。
【０２２６】
前述したように、タッチライン(ＴＬ)、タッチパッド(ＴＰ)及びタッチ電極(ＴＥ)などのタッチセンサーメタル上にオーバーコート層(ＯＣＬ)を形成することで、オーバーコート層(ＯＣＬ)を通じてタッチセンサーメタル(ＴＥ、ＴＬ)を保護することができる。
【０２２７】
図１９は、本実施例らによるタッチスクリーン内蔵型有機発光表示パネル１１０で、ＣＯＥ構造及びＭ-ＴＯＥ構造の第２混合構造を示した図面である。
【０２２８】
図１９を参照すれば、多数のタッチ電極(ＴＥ)、多数のタッチライン(ＴＬ)を含むタッチセンサーメタルは、カラーフィルター層(ＣＦＬ)上に配置されることができる。
【０２２９】
すなわち、封止層(Ｌ１４)、カラーフィルター層(ＣＦＬ)、タッチセンサーメタル(ＴＥ、ＴＬ、ＴＰ)の順に積層されることができる。
【０２３０】
より具体的に説明すれば、多数のタッチライン(ＴＬ)が配置される第１タッチセンサーメタル層(ＴＳＭＬ１)は、封止層(Ｌ１４)上のカラーフィルター層(ＣＦＬ)の上に存在する。
【０２３１】
多数のタッチライン(ＴＬ)が配置される第１タッチセンサーメタル層(ＴＳＭＬ１)上に絶縁層(ＩＬ)が存在して、その上に、多数のタッチ電極(ＴＥ)が配置される第２タッチセンサーメタル層(ＴＳＭＬ２)が存在する。
【０２３２】
ここで、多数のタッチライン(ＴＬ)が配置される第１タッチセンサーメタル層(ＴＳＭＬ１)、絶縁層(ＩＬ)、多数のタッチ電極(ＴＥ)が配置される第２タッチセンサーメタル層(ＴＳＭＬ２)は、有機発光表示パネル１１０に内蔵された内蔵タッチスクリーンパネルに該当する。
【０２３３】
前述したように、封止層(Ｌ１４)、カラーフィルター層(ＣＦＬ)などの表示機能と関連されるパターンをすべて形成した以後、タッチセンサーメタル(例:タッチ電極(ＴＥ))を最外郭と近く形成することで、使用者のタッチポインタとタッチ電極(ＴＥ)の距離が近くなって、これを通じて、ポインタとタッチ電極(ＴＥ)との間のキャパシタンスが大きく形成されることができる。よって、タッチ位置及びタッチ有無を正確に分かるのに助けになることができる。
【０２３４】
図２０は、本実施例らによるタッチスクリーン内蔵型有機発光表示パネル１１０で、ＣＯＥ構造及びＭ-ＴＯＥ構造の第２混合構造の断面図である。
【０２３５】
図２０を参照すれば、封止層(Ｌ１４)の上に多数のカラーフィルター(ＣＦ)がパターニングされたカラーフィルター層(ＣＦＬ)上にオーバーコート層(ＯＣＬ:Overcoat Layer)がさらに配置されることができる。
【０２３６】
カラーフィルター層(ＣＦＬ)には、各サブピクセル(ＳＰ)の領域ごとに該当色相のカラーフィルター(ＣＦ)が配置されることができる。
【０２３７】
一例で、タッチスクリーン内蔵型有機発光表示パネル１１０に赤色の光を出すサブピクセル、緑色の光を出すサブピクセル、青色の光を出すサブピクセルが配列される場合、カラーフィルター層(ＣＦＬ)には、赤色カラーフィルター(ＣＦ_Ｒ)、緑色カラーフィルター(ＣＦ_Ｇ)及び青色カラーフィルター(ＣＦ_Ｂ)が配置されることができる。
【０２３８】
隣接した２個のサブピクセル(ＳＰ)の間ごとにブラックマットリックス(ＢＭ:Black Matrix)が存在することができる。
【０２３９】
図２０を参照すれば、前述したように、オーバーコート層(ＯＣＬ)はカラーフィルター(ＣＦ)上に配置される。
【０２４０】
そして、多数のタッチ電極(ＴＥ)、多数のタッチライン(ＴＬ)、多数のタッチパッド(ＴＰ)を含むタッチセンサーメタルはオーバーコート層(ＯＣＬ)上に配置されることができる。
【０２４１】
より具体的に、配置される多数のタッチライン(ＴＬ)が配置される第１タッチセンサーメタル層(ＴＳＭＬ１)と、絶縁層(ＩＬ)と、多数のタッチ電極(ＴＥ)が配置される第２タッチセンサーメタル層(ＴＳＭＬ２)はオーバーコート層(ＯＣＬ)上に配置されることができる。
【０２４２】
各タッチライン(ＴＬ)と連結されるか、または各タッチライン(ＴＬ)の一部分であることができるタッチパッド(ＴＰ)も、第１タッチセンサーメタル層(ＴＳＭＬ１)に存在する。
【０２４３】
そして、第２タッチセンサーメタル層(ＴＳＭＬ２)に存在するタッチ電極(ＴＥ)は、ブリッジ部分でコンタクトホールを通じて、第１タッチセンサーメタル層(ＴＳＭＬ１)に存在するタッチライン(ＴＬＥ)と電気的に連結されることができる。
【０２４４】
図２０は、図１４でタッチパッド(ＴＰ)と一番近く位置したメッシュタイプの１個のタッチ電極(ＴＥ)と、ブリッジ部分で、メッシュタイプの１個のタッチ電極(ＴＥ)とコンタクトホールを通じて電気的に連結された１個のタッチライン(ＴＬ)を例示的に示した図面である。
【０２４５】
図２０に示されたメッシュタイプのタッチ電極(ＴＥ)の開口部の位置は、各サブピクセルの発光領域の位置と対応する。
【０２４６】
各サブピクセルの発光領域の位置は、各サブピクセルの第１電極(Ｅ１)の位置と対応されて、各サブピクセルに対応するカラーフィルター(ＣＦ)の位置と対応することができる。
【０２４７】
図２１は、本実施例らによるタッチスクリーン内蔵型有機発光表示パネル１１０で、ＣＯＥ構造及びＭ-ＴＯＥ構造の第２混合構造の製作段階を示した図面である。
【０２４８】
図２１を参照すれば、図１０のような構造になるように封止層(Ｌ１４)を形成した以後、封止層(Ｌ１４)上に、サブピクセル境界支点ごとにブラックマットリックス(ＢＭ)を形成する。
【０２４９】
以後、サブピクセル発光領域に対応するカラーフィルター(ＣＦ)をパターニングする。
【０２５０】
カラーフィルター(ＣＦ)及びブラックマットリックス(ＢＭ)がパターニングされた封止層(Ｌ１４)をオーバーコート層(ＯＣＬ)で覆う。
【０２５１】
以後、オーバーコート層(ＯＣＬ)上に内蔵タッチスクリーンパネルを形成することができる。
【０２５２】
オーバーコート層(ＯＣＬ)上に内蔵タッチスクリーンパネルをなすタッチセンサーメタルに該当するタッチ電極(ＴＥ)、タッチライン(ＴＬ)及びタッチパッド(ＴＰ)などが形成されることができる。
【０２５３】
より具体的に、オーバーコート層(ＯＣＬ)上の第１タッチセンサーメタル層(ＴＳＭＬ１)にタッチライン(ＴＬ)が位置して、第１タッチセンサーメタル層(ＴＳＭＬ１)上に絶縁層(ＩＬ)が存在して、絶縁層(ＩＬ)上の第２タッチセンサーメタル層(ＴＳＭＬ２)にタッチ電極(ＴＥ)が位置する。
【０２５４】
第２タッチセンサーメタル層(ＴＳＭＬ２)に位置したタッチ電極(ＴＥ)は、ブリッジ領域のコンタクトホールを通じて、第１タッチセンサーメタル層(ＴＳＭＬ１)に位置したタッチライン(ＴＬ)と、電気的に連結されることができる。
【０２５５】
また、タッチライン(ＴＬ)と連結されるタッチパッド(ＴＰ)またはタッチライン(ＴＬ)の一部分に該当するタッチパッド(ＴＰ)が第１タッチセンサーメタル層(ＴＳＭＬ１)に存在する。
【０２５６】
前述したように、カラーフィルター層(ＣＦＬ)上にオーバーコート層(ＯＣＬ)を形成して、その上にタッチセンサーメタル(ＴＥ、ＴＬ、ＴＰ)を形成することで、オーバーコート層(ＯＣＬ)を通じてカラーフィルター層(ＣＦＬ)とその下のパターンらを保護することができる。これだけでなく、オーバーコート層(ＯＣＬ)によって、タッチ電極(ＴＥ)、タッチライン(ＴＬ)などがオーバーコート層(ＯＣＬ)の下にある他の電極や電圧配線または信号ラインなどから電気的な影響を受けることを遮断することができる。
【０２５７】
図２２は、本実施例らによるタッチスクリーン内蔵型有機発光表示パネル１１０で、タッチ電極(ＴＥ)と第２電極(Ｅ２)の間の間隔(Ｔ２)とタッチ電極(ＴＥ)と第２電極(Ｅ２)の間に発生する寄生キャパシタンス成分の例示図である。
【０２５８】
図２２を参照すれば、タッチモード区間の間に、タッチ電極(ＴＥ)でタッチ駆動信号(ＴＤＳ)が印加される。
【０２５９】
この時、有機発光ダイオード(ＯＬＥＤ)の第２電極(Ｅ２、例:カソード電極)には基底電圧(ＥＶＳＳ)が印加されることができる。
【０２６０】
ここで、基底電圧(ＥＶＳＳ)はグラウンド電圧値または特定電圧値を有するＤＣ電圧であることができる。
【０２６１】
図２２を参照すれば、タッチ電極(ＴＥ)と有機発光ダイオード(ＯＬＥＤ)の第２電極(Ｅ２)の間には、封止層(Ｌ１４)が存在する。
【０２６２】
図１７の構造によれば、タッチ電極(ＴＥ)と有機発光ダイオード(ＯＬＥＤ)の第２電極(Ｅ２)の間には封止層(Ｌ１４)が存在することができる。
【０２６３】
図２０の構造によれば、タッチ電極(ＴＥ)と有機発光ダイオード(ＯＬＥＤ)の第２電極(Ｅ２)の間には、封止層(Ｌ１４)とオーバーコート層(ＯＣＬ)が存在することができる。
【０２６４】
図２２を参照すれば、タッチモード区間の間に、タッチ駆動信号(ＴＤＳ)が印加されるタッチ電極(ＴＥ)と基底電圧(ＥＶＳＳ)が印加される第２電極(Ｅ２)の間に寄生キャパシタンス(Cpara)が発生することがある。
【０２６５】
このような寄生キャパシタンス(Cpara)は、タッチ電極(ＴＥ)及びタッチライン(ＴＬ)に対するＲＣ遅延が大きくなるようにするロード(Load)で作用する。
【０２６６】
そして、タッチモード区間の間に寄生キャパシタンス(Cpara)によって、タッチ駆動信号(ＴＤＳ)が印加されたタッチ電極(ＴＥ)を通じて受信される信号を通じて得られるセンシングデータが変わることができる。これにより、タッチセンシング誤りが発生することがある。
【０２６７】
よって、本実施例らによるタッチスクリーン内蔵型有機発光表示パネル１１０は、寄生キャパシタンス(Cpara)の形成を防止するための構造的な特徴を有することができる。これに対して、図２３及び図２４を参照して説明する。
【０２６８】
図２３は、本実施例らによるＣＯＥ構造及びＭ-ＴＯＥ構造の第１混合構造を有するタッチスクリーン内蔵型有機発光表示パネル１１０でタッチ電極(ＴＥ)と第２電極(Ｅ２)との間の間隔(Ｔ１)を示した図面であり、図２４は本実施例らによるＣＯＥ構造及びＭ-ＴＯＥ構造の第２混合構造を有するタッチスクリーン内蔵型有機発光表示パネル１１０でタッチ電極(ＴＥ)と第２電極(Ｅ２)との間の間隔(Ｔ２)を示した図面である。図２５は、本実施例らによるタッチスクリーン内蔵型有機発光表示パネル１１０で、タッチ電極(ＴＥ)と第２電極(Ｅ２)との間の間隔(Ｔ)によるＲＣ遅延及びタッチ性能を示したグラフである。
【０２６９】
図２３を参照すれば、本実施例らによるＣＯＥ構造及びＭ-ＴＯＥ構造の第１混合構造を有するタッチスクリーン内蔵型有機発光表示パネル１１０で、タッチ電極(ＴＥ)と第２電極(Ｅ２)との間の間隔(Ｔ１)は、封止層(Ｌ１４)の厚さに対応する。
【０２７０】
図２４を参照すれば、本実施例らによるＣＯＥ構造及びＭ-ＴＯＥ構造の第２混合構造を有するタッチスクリーン内蔵型有機発光表示パネル１１０でタッチ電極(ＴＥ)と第２電極(Ｅ２)との間の間隔(Ｔ２)は、封止層(Ｌ１４)の厚さとオーバーコート層(ＯＣＬ)の厚さの合計に対応する。
【０２７１】
図２５を参照すれば、Ｍ-ＴＯＥ構造のタッチスクリーン内蔵型有機発光表示パネル１１０によれば、タッチ電極(ＴＥ)と第２電極(Ｅ２)との間の間隔(Ｔ)が小くなれば、第２電極(Ｅ２)とタッチ電極(ＴＥ)との間の寄生キャパシタンス(Cpara)が大きくなるようになって、ＲＣ遅延が大きくなるようになって、タッチ性能(タッチ感度)も低くなる。
【０２７２】
図２５を参照すれば、Ｍ-ＴＯＥ構造のタッチスクリーン内蔵型有機発光表示パネル１１０によれば、タッチ電極(ＴＥ)と第２電極(Ｅ２)との間の間隔(Ｔ)が大きくなれば、第２電極(Ｅ２)とタッチ電極(ＴＥ)との間の寄生キャパシタンス(Cpara)が小くなるようになって、ＲＣ遅延が小くなるようになって、タッチ性能(タッチ感度)が高くなることがある。
【０２７３】
前述したところによれば、タッチ電極(ＴＥ)と第２電極(Ｅ２)との間の間隔(Ｔ)は、最大許容ＲＣ遅延値(ＫＤ)及び最小タッチ性能(ＫＰ)に対応する臨界厚さ(Ｔ＿ＴＨ)以上にならなければならない。
【０２７４】
よって、図２３に示されたＣＯＥ構造及びＭ-ＴＯＥ構造の第１混合構造を有するタッチスクリーン内蔵型有機発光表示パネル１１０で、タッチ電極(ＴＥ)と第２電極(Ｅ２)との間の間隔(Ｔ１)が臨界厚さ(Ｔ＿ＴＨ)以上になるように、封止層(Ｌ１４)を厚く形成しなければならない。
【０２７５】
図２４に示されたＣＯＥ構造及びＭ-ＴＯＥ構造の第２混合構造を有するタッチスクリーン内蔵型有機発光表示パネル１１０でタッチ電極(ＴＥ)と第２電極(Ｅ２)との間の間隔(Ｔ２)が臨界厚さ(Ｔ＿ＴＨ)以上になるように、封止層(Ｌ１４)及びオーバーコート層(ＯＣＬ)を厚く形成しなければならない。
【０２７６】
例えば、図２３に示されたＣＯＥ構造及びＭ-ＴＯＥ構造の第１混合構造を有するタッチスクリーン内蔵型有機発光表示パネル１１０で、タッチ電極(ＴＥ)と第２電極(Ｅ２)との間の間隔(Ｔ１)または図２４に示されたＣＯＥ構造及びＭ-ＴＯＥ構造の第２混合構造を有するタッチスクリーン内蔵型有機発光表示パネル１１０でタッチ電極(ＴＥ)と第２電極(Ｅ２)との間の間隔(Ｔ２)は、多数のタッチ電極(ＴＥ)と封止層(Ｌ１４)の背面(すなわち、第２電極(Ｅ２)の上面)の間の間隔であることができるし、臨界厚さ(Ｔ＿ＴＨ)は５マイクロメートルであることがある。
【０２７７】
すなわち、多数のタッチ電極(ＴＥ)と封止層(Ｌ１４)との背面(すなわち、第２電極(Ｅ２)の上面)の間の間隔は５マイクロメートル以上になるように設計されることができる。
【０２７８】
これによって、ＲＣ遅延を減らすことができるし、タッチセンシング性能を向上させることができる。
【０２７９】
一方、カラーフィルター層(ＣＦＬ)での２個のカラーフィルター(ＣＦ)の間ごとに一定抵抗値以上を有する高抵抗のブラックマットリックス(ＢＭ)が配置されることができる。
【０２８０】
前述したように、高抵抗のブラックマトリックス(ＢＭ)を配置することで有機物質を含む有機発光表示パネル１１０にタッチセンサーメタルを安定的に内蔵させることができる。
【０２８１】
前述したように、第２電極(Ｅ２)とタッチ電極(ＴＥ)との間の間隔(すなわち、封止層(Ｌ１４)の背面とタッチ電極(ＴＥ)との間の間隔)を一定値(Ｔ＿ＴＨ、例:５マイクロメーター)以上に設計することで、第２電極(Ｅ２)とタッチ電極(ＴＥ)との間に寄生キャパシタンス(Cpara)が形成されることを防止することができる。
【０２８２】
このように、構造的な設計変更(厚さ変更)を通じて第２電極(Ｅ２)とタッチ電極(ＴＥ)との間に寄生キャパシタンス(Cpara)が形成されることを防止することもできるが、タッチモード区間の間に別途のロードフリー駆動(Load Free Driving)を通じて第２電極(Ｅ２)とタッチ電極(ＴＥ)との間に寄生キャパシタンス(Cpara)が形成されることを防止することもできる。
【０２８３】
図２６は、本実施例らによるタッチスクリーン内蔵型有機発光表示装置１００で発生する寄生キャパシタンス成分をとり除くためのロードフリー駆動を示した図面である。
【０２８４】
図２６に示されたように、本実施例らによるタッチスクリーン内蔵型有機発光表示装置１００は、タッチモード区間の間に、第２電極(Ｅ２)にロードフリー駆動信号(ＬＦＤＳ)を印加するロードフリー駆動を遂行することで、第２電極(Ｅ２)とタッチ電極(ＴＥ)との間の電位差を減らしてくれて第２電極(Ｅ２)とタッチ電極(ＴＥ)との間に寄生キャパシタンス(Cpara)が形成されることを防止することもできる。
【０２８５】
ここで、ロードフリー駆動信号(ＬＦＤＳ)は、タッチ駆動信号(ＴＤＳ)と等しい信号であるか、またはタッチ駆動信号(ＴＤＳ)と対応する信号であることができる。
【０２８６】
ロードフリー駆動信号(ＴＤＳ)は、タッチ駆動信号(ＴＤＳ)と対応する信号の場合、タッチ駆動信号(ＴＤＳ)と周波数、位相及び振幅などのうちで少なくとも一つが等しい信号であることがある。
【０２８７】
ロードフリー駆動信号(ＴＤＳ)及びタッチ駆動信号(ＴＤＳ)がタッチスクリーン内蔵型有機発光表示パネル１１０から伝達する間、信号振幅減殺などによって信号特性が変わることができるし、変化される程度は位置ごとに少しずつ異なることがある。
【０２８８】
このような点を考慮して、第２電極(Ｅ２)にロードフリー駆動信号(ＴＤＳ)が実際に印加される支点と、タッチ電極(ＴＥ)にタッチ駆動信号(ＴＤＳ)が実際に印加される支点で、ロードフリー駆動信号(ＴＤＳ)とタッチ駆動信号(ＴＤＳ)の周波数、位相及び振幅などのうちで少なくとも一つが等しくなるように、タッチスクリーン内蔵型有機発光表示装置１００は信号出力特性を制御することができる。
【０２８９】
よって、第２電極(Ｅ２)にロードフリー駆動信号(ＴＤＳ)が実際に印加される支点と、タッチ電極(ＴＥ)にタッチ駆動信号(ＴＤＳ)が実際に印加される支点で、ロードフリー駆動信号(ＴＤＳ)とタッチ駆動信号(ＴＤＳ)の周波数、位相及び振幅などのうちで少なくとも一つが等しくなるように、信号出力構成で信号出力特性が制御されて出力されるロードフリー駆動信号(ＴＤＳ)とタッチ駆動信号(ＴＤＳ)は、出力支点で、ロードフリー駆動信号(ＴＤＳ)とタッチ駆動信号(ＴＤＳ)の周波数、位相及び振幅などのうちで少なくとも一つはお互いに異なることがある。
【０２９０】
以上で説明したところのような本実施例らによれば、タッチスクリーンパネル(タッチセンサーメタル)の内蔵ができるようにする構造を有するタッチスクリーン内蔵型有機発光表示パネル１１０及び有機発光表示装置１００を提供する効果がある。
【０２９１】
また、本実施例らによれば、タッチセンシング性能を向上させることができるタッチスクリーン内蔵型有機発光表示パネル１１０及び有機発光表示装置１００を提供する効果がある。
【０２９２】
また、本実施例らによれば、超薄型デザイン具現ができるようにする構造を有するタッチスクリーン内蔵型有機発光表示パネル１１０及び有機発光表示装置１００を提供する効果がある。
【０２９３】
また、本実施例らによれば、ディスプレイ性能に影響を与えないでタッチスクリーンパネル(タッチセンサーメタル)を内蔵することができるタッチスクリーン内蔵型有機発光表示パネル１１０及び有機発光表示装置１００を提供する効果がある。
【０２９４】
また、本実施例らによれば、セルフ-キャパシタンス基板のタッチセンシングができるようにする二つのタッチセンサーメタル(タッチ電極、タッチライン)がお互いに異なる層に配置された構造(Ｍ-ＴＯＥ)を有するタッチスクリーン内蔵型有機発光表示パネル１１０及び有機発光表示装置１００を提供する効果がある。
【０２９５】
以上の説明及び添付した図は、本発明の技術的思想を例示的に説明したことに過ぎないものであって、本発明が属する技術分野において通常の知識を有する者であれば、本発明の本質的な特性から外れない範囲で多様な修正及び変形が可能である。従って、本発明に開示された実施例は本発明の技術思想を限定するためのものではなく、説明するためのものであって、このような実施例により本発明の技術思想の範囲が限定されるものではない。本発明の保護範囲は特許請求の範囲により解釈されるべきであり、それと同等な範囲内にある全ての技術的思想は本発明の権利範囲に含まれるものと解釈されるべきである。
【符号の説明】
【０２９６】
１００  タッチスクリーン内蔵型有機発光表示装置
１１０  タッチスクリーン内蔵型有機発光表示パネル
ＴＥ  タッチ電極
ＤＬ  データライン
ＧＬ  ゲートライン
ＴＳＣ  タッチセンシング回路
【図１】
2018049253.tif 000003
【図２】
2018049253.tif 000004
【図３】
2018049253.tif 000005
【図４】
2018049253.tif 000006
【図５】
2018049253.tif 000007
【図６】
2018049253.tif 000008
【図７】
2018049253.tif 000009
【図８】
2018049253.tif 000010
【図９】
2018049253.tif 000011
【図１０】
2018049253.tif 000012
【図１１】
2018049253.tif 000013
【図１２】
2018049253.tif 000014
【図１３】
2018049253.tif 000015
【図１４】
2018049253.tif 000016
【図１５】
2018049253.tif 000017
【図１６】
2018049253.tif 000018
【図１７】
2018049253.tif 000019
【図１８】
2018049253.tif 000020
【図１９】
2018049253.tif 000021
【図２０】
2018049253.tif 000022
【図２１】
2018049253.tif 000023
【図２２】
2018049253.tif 000024
【図２３】
2018049253.tif 000025
【図２４】
2018049253.tif 000026
【図２５】
2018049253.tif 000027
【図２６】
2018049253.tif 000028